(57)【要約】【課題】複数の商品を個別に収容可能なうえ、緩衝機能が高い仕切部材を提供する。【解決手段】矩形状をなす第１壁部３１と、第１壁部３１の両側から内向きに巻き込むように左右対称に折り曲げられるそれぞれ一対の第２壁部３２Ａ，３２Ｂおよび第３壁部３３Ａ，３３Ｂと、両端の第３壁部３３Ａ，３３Ｂに連設し互いに重畳するように折り曲げられる一対の重畳壁部３４Ａ，３４Ｂとを備え、一対の第３壁部３３Ａ，３３Ｂまたは一対の重畳壁部３４Ａ，３４Ａに、互いに連結するロック部４３と被ロック部４４とを設けるとともに、少なくとも隣接する壁部の境界部分に、略Ｕ字形状の切断線３７，３９を設け、組立状態で各壁部から突出して外箱１０の外周壁に当接する突出部３７Ａ，３７Ｂ，４０Ａ，４０Ｂを設けた構成とする。【選択図】図１
2005313911.tif 000002
【特許請求の範囲】
【請求項１】
外箱の内部を２以上の収容空間に区画する仕切部材であって、
内向きに巻き込むように左右対称に折り曲げられる壁部と、両端の壁部に連設し互いに重畳するように折り曲げられる一対の重畳壁部とを備え、
前記重畳壁部に連続した壁部または重畳壁部に、互いに連結するロック部と被ロック部とを設けるとともに、
少なくとも隣接する壁部の境界部分に、略Ｕ字形状の切断線を設け、組立状態で各壁部から突出して前記外箱の外周壁に当接する突出部を設けたことを特徴とする仕切部材。
【請求項２】
外箱の内部を２以上の収容空間に区画する仕切部材であって、
矩形状をなす第１壁部と、該第１壁部の両側から内向きに巻き込むように左右対称に折り曲げられるそれぞれ一対の第２壁部および第３壁部と、両端の第３壁部に連設し互いに重畳するように折り曲げられる一対の重畳壁部とを備え、
一対の第３壁部または一対の重畳壁部に、互いに連結するロック部と被ロック部とを設けるとともに、
少なくとも隣接する壁部の境界部分に、略Ｕ字形状の切断線を設け、組立状態で各壁部から突出して前記外箱の外周壁に当接する突出部を設けたことを特徴とする仕切部材。
【請求項３】
前記壁部と、ロック部および被ロック部と、突出部とを備えた仕切ユニットを、所定の壁部を連続させて上下方向に２以上連設したことを特徴とする請求項１または請求項２に記載の仕切部材。
【発明の詳細な説明】
【技術分野】
【０００１】
本発明は、外箱の内部に配置して該外箱内を２以上の収容空間に区画する仕切部材に関するものである。
【背景技術】
【０００２】
従来、飲料をガラス製の瓶などに充填した商品は、複数本をセットとして包装箱に収容し、輸送している。
【０００３】
この種の商品を収容する包装箱に関連する先行技術文献情報としては次のものがある。
【０００４】
【特許文献１】実開昭５９−１４３９１０号公報
【特許文献２】特開平９−２０３３０号公報
【０００５】
特許文献１では、長方形状をなす１２面の壁部を連設した本体と、２面の壁部を連設した一対の貼着壁体との３部材からなる包装箱が提供されている。前記本体における両端の壁部には糊代部が連設されるとともに、一対の貼着壁体の両端にも同様に糊代部が連設されている。そして、本体の壁部を折り曲げて一対の糊代部を所定の壁部に貼着するとともに、各貼着壁部の糊代部を本体の所定の壁部に貼着することにより、四方を壁部により囲繞した４つの収容空間が連続した状態で形成されるように構成している。また、本体の壁部には、４つの蓋フラップが連設されるとともに、該蓋フラップを挿入係止する係止穴を備えた内フラップが連設されている。そして、連続した４つの収容空間を略「田」の字形状に配置し、各収容空間を閉塞する蓋フラップを、隣接する収容空間の内フラップに挿入係止することにより、一体とした連結状態を維持できるように構成している。
【０００６】
しかし、前記包装箱では、３枚のブランクが必要であるため、その製造コストが高くなるうえ、広い保管スペースが必要になるという問題がある。しかも、組立作業性が非常に悪い。また、外部から衝撃が加わった場合には、その衝撃が直接的に商品に加わり、瓶が割れてしまう可能性がある。
【０００７】
特許文献２では、平面視四角形状の外箱と、該外箱の内部に配置する仕切部材とからなる包装箱が提供されている。この包装箱に使用する仕切部材は、外箱より一回り小さい四角形状をなす４面の壁部を備えている。隣接する壁部の境界部分には、略Ｕ字形状の切断線が左右に位置するように設けられ、組立状態で各壁部と面一に突出し、前記外箱の外周壁に当接する突出部が設けられている。また、一端の壁部には、前記突出部と同一の役割をなすとともに、組立状態を維持する係止部の役割をなす係止突部が設けられるとともに、他端の壁には、前記係止突部を係止する係止溝が設けられている。なお、この特許文献２に記載の仕切部材は、各壁部で囲繞された内部に６本の商品を収容し、各壁部と外箱の外周壁との間に一列に商品を並べて収容する目的としたものであるが、前記突出部の突出量を小さくし、各壁部と外箱の外周壁との間に緩衝空間を形成する目的としても使用可能なものである。
【０００８】
しかし、前記包装箱では、仕切部材における壁部で囲繞された内部に複数の商品を収容するため、外部から衝撃が加わると、隣接する商品が干渉して瓶が割れてしまう可能性がある。また、１つの仕切部材に対して１個の商品を収容させる構成とした場合、複数の仕切部材を外箱内に配置することが必要になるため、組立作業性が悪いうえ、コスト高になるという問題がある。
【発明の開示】
【発明が解決しようとする課題】
【０００９】
そこで、本発明では、複数の商品を個別に収容可能なうえ、緩衝機能が高い仕切部材を提供することを課題とするものである。
【課題を解決するための手段】
【００１０】
前記課題を解決するため、本発明の第１の仕切部材は、外箱の内部を２以上の収容空間に区画する仕切部材であって、内向きに巻き込むように左右対称に折り曲げられる壁部と、両端の壁部に連設し互いに重畳するように折り曲げられる一対の重畳壁部とを備え、前記重畳壁部に連続した壁部または重畳壁部に、互いに連結するロック部と被ロック部とを設けるとともに、少なくとも隣接する壁部の境界部分に、略Ｕ字形状の切断線を設け、組立状態で各壁部から突出して前記外箱の外周壁に当接する突出部を設けた構成としている。
【００１１】
また、本発明の第２の仕切部材は、外箱の内部を２以上の収容空間に区画する仕切部材であって、矩形状をなす第１壁部と、該第１壁部の両側から内向きに巻き込むように左右対称に折り曲げられるそれぞれ一対の第２壁部および第３壁部と、両端の第３壁部に連設し互いに重畳するように折り曲げられる一対の重畳壁部とを備え、一対の第３壁部または一対の重畳壁部に、互いに連結するロック部と被ロック部とを設けるとともに、少なくとも隣接する壁部の境界部分に、略Ｕ字形状の切断線を設け、組立状態で各壁部から突出して前記外箱の外周壁に当接する突出部を設けた構成としている。
【００１２】
これらの仕切部材は、前記壁部と、ロック部および被ロック部と、突出部とを備えた仕切ユニットを、所定の壁部を連続させて上下方向に２以上連設することが好ましい。
【発明の効果】
【００１３】
本発明の仕切部材では、内向きに巻き込むように壁部を左右対称に折り曲げ、両端の重畳壁部を重畳させた状態で、ロック部を被ロック部にロックさせることにより、２つの収容空間に区画することができる。しかも、この壁部と、ロック部および被ロック部とを備えた仕切ユニットは、所定の壁部を連続させて上下方向に２以上連設することが可能であり、このようにすることにより、１つの仕切部材（ブランク）で複数の収容空間を形成することができる。そのため、製造コストの低減、組立作業性の向上、および、保管スペースの削減を図ることができる。
【００１４】
また、商品を各壁部により区画された収容空間にそれぞれ収容させることにより、隣接する商品が干渉することを防止できる。しかも、各壁部の境界部分には、外箱の外周壁に当接する突出部が形成されているため、外箱との間に緩衝空間を形成することができる。その結果、外部から衝撃が加わっても、瓶からなる商品が割れる問題を確実に防止でき、輸送に適した包装箱を提供することが可能になる。
【発明を実施するための最良の形態】
【００１５】
以下、本発明の実施の形態を図面に従って説明する。
【００１６】
図１から図５は、本発明の第１実施形態に係る仕切部材３０を用いた包装箱を示す。この包装箱は、図１および図２に示すように、外箱１０と、該外箱１０の底に敷設する底部材２０と、該底部材２０上に配置して外箱１０内を２以上の収容空間に区画する仕切部材３０とからなる。
【００１７】
これら外箱１０、底部材２０および仕切部材３０は、周知の紙器打抜装置（図示せず）によって段ボール紙をそれぞれ一枚のブランクとして打ち抜いて成形される。なお、前記段ボール紙は、一対の表紙と裏紙との間に波状の中しんを配設したものである。
【００１８】
具体的には、外箱１０は、図３に示すように、横方向に連続した４面の側壁１１Ａ〜１１Ｄからなる外周壁を備えている。一端の側壁１１Ａには、他端の側壁１１Ｄに貼着するための糊代部１２が連設されている。そして、これら各側壁１１Ａ〜１１Ｄの境界部分および側壁１１Ａと糊代部１２との境界部分には、肉厚を圧縮するように罫を入れて形成した折曲線１３が設けられている。
【００１９】
前記側壁１１Ａ〜１１Ｄの上端縁には、天蓋を構成する上フラップ１４Ａ〜１４Ｄが連設され、その各境界部分には前記と同様の折曲線１５が設けられている。また、側壁１１Ａ〜１１Ｄの下端縁には、底蓋を構成する下フラップ１６Ａ〜１６Ｄが連設され、その各境界部分には折曲線１７が設けられている。そのうち、下フラップ１６Ａ，１６Ｃには、隣接する台形状をなす下フラップ１６Ｂ，１６Ｄの側に糊代部１８が連設され、その境界部分には折曲線１９が設けられている。この底蓋は、下フラップ１６Ａ，１６Ｃの糊代部１８を隣接する下フラップ１６Ｂ，１６Ｄに貼着することにより、側壁１１Ａ〜１１Ｄを四角形状に広げるだけで底面開口を閉塞できるようにしたものである。
【００２０】
前記底部材２０は、図４に示すように、前記外箱１０の内法と略同一寸法をなす３面の重畳面２１Ａ〜２１Ｃを備えている。左側に位置する第１の重畳面２１Ａは、組立状態で上側または下側に配置されるものである。中央に位置する第２の重畳面２１Ｂは、組立状態で下側または上側に配置されるもので、前記第１の重畳面２１Ａとの境界部分には、所定間隔をもって３本の切断線２２が直線的に位置するように設けられ、その間に連続部２３が設けられている。この連続部２３は、切断線２２に対して直交方向に延びる一対の切断線２４と、これら切断線２４の両端間に設けた折曲線２５とからなる。右側に位置する第３の重畳面２１Ｃは、組立状態で中央に配置されるもので、前記第２の重畳面２１Ｂとの境界部分には、段ボール紙の肉厚の略半分を切断し、他の部分を切断せずに残した半切り構造からなる折曲線２６が設けられている。また、前記各重畳面２１Ａ〜２１Ｃには、取り付け時の空気抜き穴および取り外し時の弓指穴の役割をなす貫通孔２７が、中央に位置するようにそれぞれ設けられている。
【００２１】
前記仕切部材３０は、図５に示すように、中央の第１壁部３１と、該第１壁部３１の両側に連設したそれぞれ一対の第２壁部３２Ａ，３２Ｂおよび第３壁部３３Ａ，３３Ｂと、両端の第３壁部３３Ａ，３３Ｂに連設した一対の重畳壁部３４Ａ，３４Ｂとからなり、前記第１壁部３１を起点として第２壁部３２Ａ，３２Ｂおよび第３壁部３３Ａ，３３Ｂをそれぞれ内向きに巻き込むように左右対称に折り曲げ、重畳壁部３４Ａ，３４Ｂを重畳させて組み立てるものである。
【００２２】
前記第１壁部３１は、前記外箱１０において、幅広の側壁１１Ｂ，１１Ｄより幅が若干狭い矩形状をなす。この第１壁部３１と後述する第２壁部３２Ａ，３２Ｂとの境界部分には、所定間隔をもって５本の折曲線３５が直線的に位置するように設けられている。これら折曲線３５の間には、略Ｕ字形状をなす切断線３６が設けられ、該切断線３６により組立状態で第１壁部３１および第２壁部３２Ａ，３２Ｂと面一に突出する突出部３７Ａ，３７Ｂが設けられている。
【００２３】
前記第２壁部３２Ａ，３２Ｂは、前記外箱１０において、幅狭の側壁１１Ａ，１１Ｃより幅が若干狭い矩形状をなす。この第２壁部３２Ａ，３２Ｂと後述する第３壁部３３Ａ，３３Ｂとの境界部分には、前記と同様に所定間隔をもって５本の折曲線３８が直線的に位置するように設けられている。これら折曲線３８の間には、略Ｕ字形状をなす切断線３９が設けられ、該切断線３９により組立状態で第２壁部３２Ａ，３２Ｂおよび第３壁部３３Ａ，３３Ｂと面一に突出する突出部４０Ａ，４０Ｂが設けられている。
【００２４】
前記第３壁部３３Ａ，３３Ｂは、前記第１壁部３１の略半分の幅の矩形状をなす。この第３壁部３３Ａ，３３Ｂと後述する重畳壁部３４Ａ，３４Ｂとの境界部分には、２本の折曲線４１が直線的に位置するように設けられている。そのうち、一方の第３壁部３３Ａおよび重畳壁部３４Ａの境界部分に設けた折曲線４１の間には、その両端を起点として略台形状をなす細幅の溝４２を重畳壁部３４Ａに形成することにより、第３壁部３３Ａと面一に突出するロック部４３が設けられている。また、他方の第３壁部３３Ｂおよび重畳壁部３４Ｂの境界部分に設けた折曲線４１の間には、その両端を起点として略矩形状をなす穴を第３壁部３３Ｂに形成することにより、被ロック部４４が設けられている。
【００２５】
前記重畳壁部３４Ａ，３４Ｂは、連続する第３壁部３３Ａ，３３Ｂの端部から互いに重畳するように折り曲げられ、第１壁部３１の中央まで延びる矩形状のものである。
【００２６】
前記各突出部３７Ａ，３７Ｂ，４０Ａ，４０Ｂのうち、第１壁部３１と面一に突出する両側の突出部３７Ａ，３７Ａ、および、第３壁部３３Ａ，３３Ｂと面一に突出する突出部４０Ｂ，４０Ｂは、それらの先端間の寸法が前記側壁１１Ｂ，１１Ｄの幅と略同一になるように構成されている。また、第２壁部３２Ａ，３２Ｂと面一に突出する突出部３７Ｂ，４０Ａは、それらの先端間の寸法が前記側壁１１Ａ，１１Ｃの幅と略同一になるように構成されている。
【００２７】
前記外箱１０、底部材２０および仕切部材３０からなる包装箱は、図１および図２に示すように、まず、側壁１１Ａ〜１１Ｄが四角形状をなすように外箱１０を広げる。そして、重畳面２１Ａ〜２１Ｃを重畳させるように折り曲げた底部材２０を、前記外箱１０の底面に敷設した後、組み立てた仕切部材３０を外箱１０の内部に配置する。
【００２８】
前記仕切部材３０を組み立てる際には、まず、第１壁部３１に対して第２壁部３２Ａ，３２Ｂを同一方向に折り曲げた後、これら第２壁部３２Ａ，３２Ｂに対して第３壁部３３Ａ，３３Ｂを内向きに折り曲げるとともに、第３壁部３３Ａ，３３Ｂに対して重畳壁部３４Ａ，３４Ｂを更に内向きに折り曲げる。これにより、第１壁部３１を起点として第２壁部３２Ａ，３２Ｂおよび第３壁部３３Ａ，３３Ｂをそれぞれ内向きに巻き込むように左右対称に折り曲げ、重畳壁部３４Ａ，３４Ｂを重畳させることができる。
【００２９】
このように各壁部を折り曲げると、第１突出部３７Ａが第１壁部３１と面一に第２壁部３２Ａ，３２Ｂから突出し、突出部３７Ｂが第２壁部３２Ａ，３２Ｂと面一に第１壁部３１から突出し、また、突出部４０Ａが第２壁部３２Ａ，３２Ｂと面一に第３壁部３３Ａ，３３Ｂから突出し、突出部４０Ｂが第３壁部３３Ａ，３３Ｂと面一に第２壁部３２Ａ，３２Ｂから突出する。また、ロック部４３が第３壁部３３Ａと面一に重畳壁部３４Ａから突出し、隣接する第３壁部３３Ｂの被ロック部４４の表面に位置する。そして、このロック部４３を内向きに押圧し、被ロック部４４を貫通させて内部に位置させることにより、巻き込むように左右対称に折り曲げた壁部３２Ａ，３３Ａ，３４Ａと、壁部３２Ｂ，３３Ｂ，３４Ｂとをロックすることができ、該仕切部材３０の組立状態を維持できる。
【００３０】
なお、仕切部材３０を外箱１０内に配置した状態では、仕切部材３０の各壁部により囲繞および区画された２つの正方形状の収容空間が形成される。また、仕切部材３０の第１壁部３１、第２壁部３２Ａ，３２Ｂおよび第３壁部３３Ａ，３３Ｂと、外箱１０の外周壁を構成する側壁１１Ａ〜１１Ｄとの間には、突出部３７Ａ，３７Ｂ，４０Ａ，４０Ｂにより所定間隔の緩衝空間が形成される。
【００３１】
そのため、前記仕切部材３０の各収容空間に個別に収容させた商品は、隣接する商品が干渉することがないうえ、外部から衝撃が加わっても前記緩衝空間により衝撃が緩和され、瓶からなる商品が割れるという問題を確実に防止できる。そのため、輸送に適した包装箱を提供することが可能になる。
【００３２】
図６から図１０は第２実施形態の仕切部材５０を用いた包装箱を示す。この包装箱の仕切部材３０は、第１実施形態と同様に２つに区画可能な仕切ユニット５１Ａ，５１Ｂを上下対称に連設し、図６に示すように、略「田」の字形状をなす４つの収容空間を形成できるようにした点で相違している。
【００３３】
具体的には、第２実施形態の外箱１０は、図６および図７に示すように、平面視で正方形状をなすように側壁１１Ａ〜１１Ｄの幅を略同一に形成した点でのみ相違する。また、底部材２０は、図６および図８に示すように、３面の重畳面２１Ａ〜２１Ｃを外箱１０の内法と略一致するように正方形状に形成した点でのみ相違する。
【００３４】
図９に示すように、第２実施形態の仕切部材５０は、上下に対称な一対の仕切ユニット５１Ａ，５１Ｂを備えている。これら仕切ユニット５１Ａ，５１Ｂは、第１実施形態の仕切部材３０と同様に、中央の第１壁部５２と、該第１壁部５２の両側に連設したそれぞれ一対の第２壁部５３Ａ，５３Ｂおよび第３壁部５４Ａ，５４Ｂと、両端の第３壁部５４Ａ，５４Ｂに連設した一対の重畳壁部５５Ａ，５５Ｂとからなり、それぞれ第１壁部５２を起点として第２壁部５３Ａ，５３Ｂおよび第３壁部５４Ａ，５４Ｂをそれぞれ内向きに巻き込むように左右対称に折り曲げ、重畳壁部５５Ａ，５５Ｂを重畳させて組み立てるものである。
【００３５】
前記仕切ユニット５１Ａ，５１Ｂの境界部分には、互いの第１壁部５２を連続部５７とし、他の領域を切断部５８とした屈曲用の罫線５６が設けられている。前記連続部５７は、段ボール紙の肉厚の略半分を切断し、他の部分を切断せずに残した半切り構造のものである。前記切断部５８は、前記連続部５７の両端から仕切部材５０のブランクの両端である重畳壁部５５Ａ，５５Ｂの外側縁近傍まで延びるように形成したもので、その中央には連続した非切断部５９が設けられている。言い換えれば、罫線５６は、第１壁部５２の領域と他の部分の一部とを連続部とし、その連続部以外の部分を切断したものである。
【００３６】
前記各第１壁部５２と第２壁部５３Ａ，５３Ｂとの境界部分には、所定間隔をもって５本の折曲線６０が直線的に位置するように設けられている。これら折曲線６０の間には、略Ｕ字形状をなす切断線６１が設けられ、該切断線６１により組立状態で第１壁部５２と面一に突出する突出部６２が設けられている。
【００３７】
前記第２壁部５３Ａ，５３Ｂと第３壁部５４Ａ，５４Ｂとの境界部分には、所定間隔をもって５本の折曲線６３が直線的に位置するように設けられている。これら折曲線６３の間には、略Ｕ字形状をなす切断線６４が設けられ、該切断線６４により組立状態で第２壁部５３Ａ，５３Ｂおよび第３壁部５４Ａ，５４Ｂと面一に突出する突出部６５Ａ，６５Ｂが設けられている。
【００３８】
前記第３壁部５４Ａ，５４Ｂと重畳壁部５５Ａ，５５Ｂとの境界部分には、５本の折曲線６６が直線的に位置するように設けられている。そして、一方の第３壁部５４Ａおよび重畳壁部５５Ａの境界部分に設けた折曲線６６のうち、略中央に位置する折曲線６６の間には、略台形状をなす細幅の溝６７を重畳壁部５５Ａに形成することにより、第３壁部５４Ａと面一に突出するロック部６８が設けられている。また、他方の第３壁部５４Ｂおよび重畳壁部５５Ｂの境界部分に設けた折曲線６６のうち、ロック部６８と対応する折曲線６６の間には、略矩形状をなす穴を第３壁部５４Ｂに形成することにより、被ロック部６９が設けられている。さらに、他の折曲線６６の間には、略Ｕ字形状をなす切断線７０が設けられ、該切断線７０により組立状態で重畳壁部５５Ａ，５５Ｂと面一に突出する突出部７１が設けられている。
【００３９】
前記各突出部６２，６５Ａ，６５Ｂ，７１のうち、第１壁部５２と面一に突出する両側の突出部６２，６２、および、第３壁部５４Ａ，５４Ｂと面一に突出する突出部６５Ｂ，６５Ｂは、それらの先端間の寸法が前記側壁１１Ｂ，１１Ｄの幅と略同一になるように構成されている。また、各仕切ユニット５１Ａ，５１Ｂの組立状態において、第２壁部５３Ａ，５３Ｂと面一に突出する両側の突出部６５Ａ，６５Ａ、および、重畳壁部５５Ａ，５５Ｂと面一に突出する突出部７１，７１は、それらの先端間の寸法が前記側壁１１Ａ，１１Ｃの幅と略同一になるように構成されている。
【００４０】
この仕切部材５０を組み立てる際には、例えば、図１０に示すように、まず、前記非切断部５９および重畳壁部５５の両端の非切断部を破断する。そして、第１実施形態と同様に、各仕切ユニット５１Ａ，５１Ｂの第１壁部５２に対して第２壁部５３Ａ，５３Ｂを同一方向に折り曲げた後、これら第２壁部５３Ａ，５３Ｂに対して第３壁部５４Ａ，５４Ｂを内向きに折り曲げるとともに、第３壁部５４Ａ，５４Ｂに対して重畳壁部５５Ａ，５５Ｂを更に内向きに折り曲げる。これにより、第１壁部５２を起点として第２壁部５３Ａ，５３Ｂおよび第３壁部５４Ａ，５４Ｂをそれぞれ内向きに巻き込むように左右対称に折り曲げ、重畳壁部５５Ａ，５５Ｂを重畳させることができる。
【００４１】
このように各壁部を折り曲げると、ロック部６８が第３壁部５４Ａと面一に重畳壁部５５Ａから突出し、隣接する第３壁部５４Ｂの被ロック部６９の表面に位置する。そして、このロック部６８を内向きに押圧し、被ロック部６９を貫通させて内部に位置させ、各仕切ユニット５１Ａ，５１Ｂの各壁部をロックして、これら仕切ユニット５１Ａ，５１Ｂの組立状態を維持させる。
【００４２】
ついで、連続部５７を中心として一対の仕切ユニット５１Ａ，５１Ｂを折り曲げ、図６に示すように、連続した仕切ユニット５１Ａ，５１Ｂの第１壁部５２，５２を重畳させる。これにより、突出部６２が第１壁部５２と面一に第２壁部５３Ａ，５３Ｂから突出する。また、突出部６５Ａが第２壁部５３Ａ，５３Ｂと面一に第３壁部５４Ａ，５４Ｂから突出し、突出部６５Ｂが第３壁部５４Ａ，５４Ｂと面一に第２壁部５３Ａ，５３Ｂから突出する。さらに、突出部７１が重畳壁部５５Ａ，５５Ｂと面一に第３壁部５４Ａ，５４Ｂから突出する。
【００４３】
この仕切部材５０を外箱１０内に配置すると、仕切部材５０の各壁部により囲繞および区画された４つの収容空間が形成される。また、仕切部材５０の第１壁部５２、第２壁部５３Ａ，５３Ｂおよび第３壁部５４Ａ，５４Ｂと、外箱１０の外周壁を構成する側壁１１Ａ〜１１Ｄとの間には、突出部６２，６５Ａ，６５Ｂ，７１により所定間隔の緩衝空間が形成される。そのため、第１実施形態と同様の緩衝作用を得ることができ、商品が割れるという問題が生じることのない、輸送に適した包装箱を提供することが可能になる。
【００４４】
しかも、各壁部と、ロック部６８および被ロック部６９とを備えた仕切ユニット５１Ａ，５１Ｂを上下方向に連設することにより、１つのブランクで複数の収容空間を形成することができる。そのため、製造コストの低減、組立作業性の向上、および、保管スペースの削減を図ることができる。なお、この第２実施形態では、２つの仕切ユニット５１Ａ，５１Ｂにより構成したが、この仕切ユニットは３以上連設することも可能であるため、希望に応じて偶数倍の収容空間の区画が可能である。
【００４５】
図１１および図１２は第３実施形態の仕切部材５０を示す。この仕切部材５０は、３つの仕切ユニット５１Ａ〜５１Ｃを上下に連設し、２行３列の６つに区画できるようにした点で第２実施形態と相違している。
【００４６】
具体的には、図１１に示すように、第３実施形態の仕切部材５０は、上下方向に連設した３つの仕切ユニット５１Ａ〜５１Ｃを備えている。これら仕切ユニット５１Ａ〜５１Ｃは、第２実施形態と同様に、第１壁部５２と、第２壁部５３Ａ，５３Ｂと、第３壁部５４Ａ，５４Ｂと、重畳壁部５５Ａ，５５Ｂとからなり、それぞれ第１壁部５２を起点として第２壁部５３Ａ，５３Ｂおよび第３壁部５４Ａ，５４Ｂをそれぞれ内向きに巻き込むように左右対称に折り曲げ、重畳壁部５５Ａ，５５Ｂを重畳させて組み立てるものである。
【００４７】
前記仕切ユニット５１Ａ，５１Ｂの境界部分には、互いの第１壁部５２，５２の境界部分を連続部５７とし、他の領域に切断部５８と非切断部５９とを備えさせた罫線５６が設けられている。また、仕切ユニット５１Ｂ，５１Ｃの境界部分には、互いの第３壁部５４Ｂ，５４Ｂの境界部分を連続部５７とし、他の領域に切断部５８と非切断部５９とを備えさせた罫線５６が設けられている。
【００４８】
前記各第１壁部５２と第２壁部５３Ａ，５３Ｂとの境界部分には、所定間隔をもって５本の折曲線６０が直線的に位置するように設けられている。これら折曲線６０の間には、略Ｕ字形状をなす切断線６１が設けられ、該切断線６１により突出部６２，６２Ａ，６２Ｂが設けられている。そのうち、仕切ユニット５１Ａ，５１Ｂの突出部６２は、組立状態で第１壁部５２と面一に突出するように設けられている。また、仕切ユニット５１Ｃの突出部６２Ａ，６２Ｂは、突出部６２Ａが第１壁部５２と面一に突出し、突出部６２Ｂが第２壁部５３Ａ，５３Ｂと面一に突出するように設けられている。
【００４９】
前記第２壁部５３Ａ，５３Ｂと第３壁部５４Ａ，５４Ｂとの境界部分には、所定間隔をもって５本の折曲線６３が直線的に位置するように設けられている。これら折曲線６３の間には、略Ｕ字形状をなす切断線６４が設けられ、該切断線６４により突出部６５，６５Ａ，６５Ｂが設けられている。そのうち、仕切ユニット５１Ａの突出部６５Ａ，６５Ｂは、組立状態で第２壁部５３Ａ，５３Ｂおよび第３壁部５４Ａ，５４Ｂと面一に突出するように設けられている。また、仕切ユニット５１Ｂ，５１Ｃの突出部６５は、組立状態で第３壁部５４Ａ，５４Ｂと面一に突出するように設けられている。
【００５０】
前記第３壁部５４Ａ，５４Ｂと重畳壁部５５Ａ，５５Ｂとの境界部分には、第１実施形態と同様に、２本の折曲線６６が直線的に位置するように設けられている。そして、一方の第３壁部５４Ａおよび重畳壁部５５Ａの境界部分に設けた折曲線６６の間にはロック部６８が設けられ、他方の第３壁部５４Ｂおよび重畳壁部５５Ｂの境界部分に設けた折曲線６６の間には被ロック部６９が設けられている。
【００５１】
この第３実施形態の仕切部材５０を組み立てる際には、図１２に示すように、各壁部を折り曲げて、各仕切ユニット５１Ａ〜５１Ｃのロック部６８を被ロック部６９にロックして、仕切ユニット５１Ａ〜５１Ｃの組立状態を維持させる。ついで、仕切ユニット５１Ａ，５１Ｂを折り曲げ、連続した仕切ユニット５１Ａ，５１Ｂの第１壁部５２，５２を重畳させるとともに、仕切ユニット５１Ｂ，５１Ｃを折り曲げ、連続した仕切ユニット５１Ｂ，５１Ｃの第３壁部５４Ｂ，５４Ｂを重畳させる。これにより、外箱１０との間に緩衝空間を形成するための突出部が、所定の壁部と面一に突出する。
【００５２】
このように、本発明の仕切部材は、２以上の仕切ユニットを上下方向に連設し、隣接する壁部から突出する突出部の突出方向を変更したり、重畳壁部との境界部分には突出部を形成しない構成とするだけで、偶数倍の収容空間を希望に応じて形成することができる。
【００５３】
なお、本発明の仕切部材３０，５０は、前記実施形態の構成に限定されるものではなく、種々の変更が可能である。
【００５４】
例えば、前記各実施形態では、第１壁部３１，５２の両側に、それぞれ一対の第２壁部３２Ａ，３２Ｂ，５３Ａ，５３Ｂ、第３壁部３３Ａ，３３Ｂ，５４Ａ，５４Ｂ、および、重畳壁部３４Ａ，３４Ｂ，５５Ａ，５５Ｂを連設し、第１壁部３１，５２を起点として各壁部をそれぞれ内向きに巻き込むように左右対称に折り曲げて組み立てたが、１つの収容空間を形成するための各壁部の数や形状は希望に応じて変更することができる。
【００５５】
具体的には、前記実施形態では、各壁部により略正方形状をなすように各収容空間を形成したが、図１３に示すように、一対の第１壁部７５Ａ，７５Ｂと、これら第１壁部７５Ａ，７５Ｂの外側縁に連設した一対の第２壁部７６Ａ，７６Ｂと、これら第２壁部７６Ａ，７６Ｂの外側縁に連設した一対の重畳壁部７７Ａ，７７Ｂにより正三角形状の収容空間を形成してもよい。この場合、隣接する第１壁部７５Ａ，７５Ｂ、および、第２壁部７６Ａ，７６Ｂと重畳壁部７７Ａ，７７Ｂの境界部分に、それぞれ所定の壁部と面一に突出する突出部７８を形成する。また、第２壁部７６Ａ，７６Ｂのいずれかを連続部によって連続させる。
【００５６】
このように構成しても前記各実施形態と同様の作用および効果を得ることが可能である。言い換えれば、仕切部材は、内向きに巻き込むように左右対称に折り曲げられる壁部と、両端の壁部に連設した一対の重畳壁部とを備え、互いに連結するロック部と被ロック部とを設けるとともに、隣接する壁部の境界部分に突出部を設ければ、前記実施形態と同様の作用および効果を得ることができる。
【００５７】
また、前記実施形態では、重畳壁部３４Ａ，３４Ｂ，５５Ａ，５５Ｂに隣接した一対の壁部３３Ａ，３３Ｂ，５４Ａ，５４Ｂにロック部４３，６８および被ロック部４４，６９を設けたが、重畳される重畳壁部３４Ａ，３４Ｂ，５５Ａ，５５Ｂにロック部および被ロック部を設けてもよい。
【図面の簡単な説明】
【００５８】
【図１】第１実施形態の仕切部材を用いた包装箱を示す分解斜視図である。
【図２】仕切部材の組付状態の断面図である。
【図３】包装箱を構成する外箱のブランクを示す平面図である。
【図４】包装箱を構成する底部材のブランクを示す平面図である。
【図５】仕切部材のブランクを示す平面図である。
【図６】第２実施形態の仕切部材を用いた包装箱を示す分解斜視図である。
【図７】包装箱を構成する外箱のブランクを示す平面図である。
【図８】包装箱を構成する底部材のブランクを示す平面図である。
【図９】仕切部材のブランクを示す平面図である。
【図１０】第２実施形態の仕切部材の組立工程を示す斜視図である。
【図１１】第３実施形態の仕切部材のブランクを示す平面図である。
【図１２】第３実施形態の仕切部材の組立工程を示す斜視図である。
【図１３】変形例の仕切部材を用いた包装箱を示す分解斜視図である。
【符号の説明】
【００５９】
１０…外箱
１１Ａ〜１１Ｄ…側壁（外周壁）
２０…底部材
３０，５０…仕切部材
３１，５２…第１壁部
３２Ａ，３２Ｂ，５３Ａ，５３Ｂ…第２壁部
３３Ａ，３３Ｂ，５４Ａ，５４Ｂ…第３壁部
３４Ａ，３４Ｂ，５５Ａ，５５Ｂ…重畳壁部
３６，３９，６１，６４，７０…切断線
３７Ａ,３７Ｂ,４０Ａ,４０Ｂ,６２,６２Ａ,６２Ｂ,６５,６５Ａ,６５Ｂ,７１…突出部
４３，６８…ロック部
４４，６９…被ロック部
５１Ａ，５１Ｂ，５１Ｃ…仕切ユニット
５７…連続部
【図１】
2005313911.tif 000003
【図２】
2005313911.tif 000004
【図３】
2005313911.tif 000005
【図４】
2005313911.tif 000006
【図５】
2005313911.tif 000007
【図６】
2005313911.tif 000008
【図７】
2005313911.tif 000009
【図８】
2005313911.tif 000010
【図９】
2005313911.tif 000011
【図１０】
2005313911.tif 000012
【図１１】
2005313911.tif 000013
【図１２】
2005313911.tif 000014
【図１３】
2005313911.tif 000015